(57)【要約】【課題】ＥＬシートを表示装置として使用し、ＥＬ表示装置を構成するｍ行×ｎ列のＥＬシートを互いに独立に、オン、オフ制御する場合、ｍ×ｎ本の信号線を設ける必要がなく、画素数が多くなっても、ＥＬシートを使用した表示装置に接続する信号線が太くならない表示装置を提供することを目的とするものである。【解決手段】複数のＥＬシートと、電源供給制御手段と、上記電源供給制御手段を固定しているフレキシブル基板とを設け、上記電源供給手段は、所定の映像信号に応じて、上記複数のＥＬシートのそれぞれに供給する電源のオン、オフを制御する電源供給制御手段であって、上記ＥＬシートの発光面の反対側である裏面に設けられている表示装置である。【選択図】図１
2007140071.tif 000002
【特許請求の範囲】
【請求項１】
複数のＥＬシートと；
所定の映像信号に応じて、上記複数のＥＬシートのそれぞれに供給する電源のオン、オフを制御する電源供給制御手段であって、上記ＥＬシートの発光面の反対側である裏面に設けられている電源供給制御手段と；
上記電源供給制御手段を固定しているフレキシブル基板と；
を有することを特徴とする表示装置。
【請求項２】
請求項１において、
上記複数のＥＬシートは、ｍ行×ｎ列のマトリクスを形成し、
上記フレキシブル基板は、上記ｍ行の少なくとも１行毎に、または、上記ｎ列の少なくとも１列毎に、設けられていることを特徴とする表示装置。
【請求項３】
請求項１において、
上記映像信号は、シリアル信号であり、
上記電源供給制御手段は、
上記シリアル信号を入力し、パラレル信号に変換するシフトレジスタと；
上記シフトレジスタが変換したパラレル信号を記憶するメモリと；
上記メモリに記憶されているパラレル信号に応じて、上記ＥＬシートへの電源供給をオン、オフ制御するスイッチング回路と；
を有する手段であることを特徴とする表示装置。
【請求項４】
請求項１において、
後続の電源供給手段へも、シリアルの映像信号を送信することを特徴とする表示装置。
【発明の詳細な説明】
【技術分野】
【０００１】
本発明は、複数のＥＬシートを使用し、これら複数のＥＬシートのそれぞれを互いに独立して、オン、オフ制御する表示装置に関する。
【背景技術】
【０００２】
ＥＬを使用して数字を表示し、この表示されている数字が横に複数配列されている表示装置が知られている（たとえば、特許文献１参照）。
【特許文献１】特許公開２００２−３５７４５９公報
【発明の開示】
【発明が解決しようとする課題】
【０００３】
ＥＬシートを表示素子として使用し、多数のＥＬシートの集合によって所定の文字を表示し、この表示されている文字が流れるように表示する装置を考えることができる。また、文字が流れるように表示する代わりに、絵等の画像が流れるように表示することも考えられる。
【０００４】
このＥＬシート使用の表示装置は、ＥＬシート自体が非常に薄く、可撓性に富み、軽量であるので、このＥＬ表示装置を壁面に取り付ける作業が容易であり、取り付け前にＥＬ表示装置を巻いて運搬することができ、運搬の容易性にも優れている。
【０００５】
しかし、ＥＬ表示装置を構成するｍ行×ｎ列のＥＬを互いに独立にそのオン、オフを制御するためには、ｍ×ｎ本の信号線（画像信号に対応する信号線）を必要とし、画素数が多くなる程、信号線が多くなり、信号線を束ねた束が太くなり、ＥＬ自体が有する軽量性、運搬容易性という利点が没却されるという問題がある。
【０００６】
本発明は、ＥＬシートを表示装置として使用し、ＥＬ表示装置を構成するｍ行×ｎ列のＥＬシートを互いに独立に、オン、オフ制御する場合、ｍ×ｎ本の信号線を設ける必要がなく、画素数が多くなっても、ＥＬシートを使用した表示装置に接続する信号線が太くならない表示装置を提供することを目的とするものである。
【課題を解決するための手段】
【０００７】
本発明は、複数のＥＬシートと、電源供給制御手段と、上記電源供給制御手段を固定しているフレキシブル基板とを設け、上記電源供給手段は、所定の映像信号に応じて、上記複数のＥＬシートのそれぞれに供給する電源のオン、オフを制御する電源供給制御手段であって、上記ＥＬシートの発光面の反対側である裏面に設けられている表示装置である。
【発明の効果】
【０００８】
本発明によれば、複数のＥＬシートを使用して表示装置を構成し、ＥＬ表示装置を構成するｍ行×ｎ列のＥＬシートを、互いに独立にそのオン、オフを制御する場合、ｍ×ｎ本の画像信号に対応する信号線を必要とせず、画素数が多くなっても、表示装置に接続する信号線が太くならないという効果を奏する。
【発明を実施するための最良の形態】
【０００９】
発明を実施するための最良の形態は、以下の実施例である。
【実施例１】
【００１０】
図１は、本発明の実施例１である表示装置１００を示す正面図であり、その表示面を示す図である。
【００１１】
表示装置１００は、８行×８列のマトリクスを構成する６４個のＥＬシートＳ１１、Ｓ１２、……、Ｓ８７、Ｓ８８と、遮光板２０と、接点Ｃ０と、ケーブル１０と、インバータおよび信号発生回路３０とを有する。
【００１２】
ＥＬシートＳ１１、……、Ｓ８８は、８行×８列のマトリクスを構成し、このマトリクスを構成する第１列のＥＬシートは、ＥＬシートＳ１１、Ｓ１２、Ｓ１３、Ｓ１４、Ｓ１５、Ｓ１６、Ｓ１７、Ｓ１８で構成され、第２列のＥＬシートは、ＥＬシートＳ２１、Ｓ２２、Ｓ２３、Ｓ２４、Ｓ２５、Ｓ２６、Ｓ２７、Ｓ２８で構成され、……、第８列のＥＬシートは、ＥＬシートＳ８１、Ｓ８２、Ｓ８３、Ｓ８４、Ｓ８５、Ｓ８６、Ｓ８７、Ｓ８８で構成されている。
【００１３】
遮光板２０は、６４個のＥＬシートＳ１１、Ｓ１２、……、Ｓ８７、Ｓ８８を固定し、フレキシブルな板であることが望ましい。また、遮光板２０は、ＥＬシートＳ１１、Ｓ１２、……、Ｓ８７、Ｓ８８が発光した光の一部を遮光するものである。遮光板２０の遮光率は、たとえば、２０〜６０％である。この遮光によって、表示装置１００が表示する文字、画像を、磨りガラスを通して見たと同じ状態になり、表示装置１００が表示する文字、画像のコントラストが高くなる。
【００１４】
ケーブル１０には、後述するが、入力映像信号、シフトクロック、ラッチ信号が流れ、また、ＥＬ発光用電力線が含まれている。したがって、ケーブル１０は、５本の導線が設けられていれば足りる。
【００１５】
インバータおよび信号発生回路３０は、ＥＬシートＳ１１、……、Ｓ８８のそれぞれの発光を制御するために、入力映像信号、シフトクロック、ラッチ信号と、ＥＬ発光用電力とを出力する回路である。
【００１６】
図２は、表示装置１００の裏面を示す図である。
【００１７】
表示装置１００の裏面には、６４組の接点Ｃ１１、…、Ｃ１８と、接点Ｃ２１、Ｃ２２、……、Ｃ２８と、……、接点Ｃ８１、Ｃ８２、……、Ｃ８８と、上記６４組の接点のそれぞれを直列に接続するための配線とが設けられている。
【００１８】
６４組の接点Ｃ１１、…、Ｃ８８は、ＥＬシートＳ１１、Ｓ１２、……、Ｓ８７、Ｓ８８のそれぞれに対応して接続されている。また、接点Ｃ１１、…、Ｃ８８のそれぞれは、２つの接続部分を有する。
【００１９】
図３は、表示装置１００に使用する制御ボードＢ１を示す図である。
【００２０】
制御ボードＢ１は、第１列のＥＬシートＳ１１〜Ｓ１８用の制御ボードであり、図３は、その実装面を示す図である。
【００２１】
第１列のＥＬシートＳ１１〜Ｓ１８用制御ボードＢ１は、接点Ｃ１ｂと、シフトレジスタＳＲ１と、ラッチ回路ＬＴ１と、スイッチング回路ＳＷ１と、接点Ｃ１１ｂ、Ｃ１２ｂ、Ｃ１３ｂ、Ｃ１４ｂ、Ｃ１５ｂ、Ｃ１６ｂ、Ｃ１７ｂ、Ｃ１８ｂと、映像信号入力線Ｌ１１と、シフトクロック線Ｌ１２と、ラッチ信号線Ｌ１３と、ＥＬ発光用電力線Ｌ１４、Ｌ１５と、映像信号出力線Ｌ１６とを有する。
【００２２】
制御ボードＢ１は、所定の映像信号に応じて、上記複数のＥＬシートのそれぞれに供給する電源のオン、オフを制御する電源供給制御手段であって、上記ＥＬシートの発光面の反対側である裏面に設けられている電源供給制御手段の例である。
【００２３】
より具体的には、シフトレジスタＳＲ１とラッチ回路ＬＴ１とスイッチング回路ＳＷ１とは、所定の映像信号に応じて、上記複数のＥＬシートのそれぞれに供給する電源のオン、オフを制御する電源供給制御手段であって、上記ＥＬシートの発光面の反対側である裏面に設けられている電源供給制御手段の例である。
【００２４】
なお、上記電源供給手段は、ＭＰＵで構成するようにしてもよい。
【００２５】
シフトレジスタＳＲ１は、ケーブル１０を介して、インバータおよび信号発生回路３０から受信した８ビットのシリアル信号（映像信号、データ信号）をパラレル信号に変換する回路である。
【００２６】
ラッチ回路ＬＴ１は、シフトレジスタＳＲ１が変換したパラレル信号を一時的に保持する回路である。
【００２７】
スイッチング回路ＳＷ１は、ラッチ回路ＬＴ１が保持している信号に応じて、ＥＬシートＳ１１、Ｓ１２、……、Ｓ１７、Ｓ１８のそれぞれの発光を制御する回路である。
【００２８】
コネクタＣ１ｂは、表示装置１００の裏面に設けられているコネクタＣ１に接続されるコネクタである。
【００２９】
図４は、表示装置１００の裏面（非表示面）に、制御ボードＢ１を接続した状態を示す図である。
【００３０】
コネクタＣ１とＣ１ｂとが接続され、接点Ｃ１１とＣ１１ｂとが接続され、接点Ｃ１２とＣ１２ｂとが接続され、……、接点Ｃ１８とＣ１８ｂとが接続されている。
【００３１】
コネクタＣ１とＣ１ｂとの接続方法、接点Ｃ１１とＣ１１ｂとを接続する場合、異方性導電材で接続するようにしてもよい。この異方性導電材は、ｘｙｚ軸のうちの１つの軸方向（双方向）でのみ、通電するが、他の方向では通電しない導電性材料であり、熱溶着する材料である。また、導電性テープを使用して、コネクタＣ１とＣ１ｂとの接続、接点Ｃ１１とＣ１１ｂとの接続等を行なうようにしてもよい。
【００３２】
なお、遮光板２０と、制御ボードＢ１とが、図示しないクリップによって固着されていてもよい。また、遮光板２０に穴が設けられ、この穴に対応する位置であって制御ボードＢ１の位置に突起が設けられ、上記穴に突起が嵌合することによって、遮光板２０と制御ボードＢ１とが互いに固着されるようにしてもよい。
【００３３】
図５は、表示装置１００の裏面（非表示面）に、制御ボードＢ１、Ｂ２、Ｂ３、Ｂ４、Ｂ５、Ｂ６、Ｂ７、Ｂ８を接続した状態を示す斜視図である。
【００３４】
制御ボードＢ２は、第２列のＥＬシートＳ２１〜Ｓ２８用制御ボードであり、制御ボードＢ３は、第３列のＥＬシートＳ３１〜Ｓ３８用制御ボードであり、制御ボードＢ４は、第４列のＥＬシートＳ４１〜Ｓ４８用制御ボードである。また、制御ボードＢ５は、第５列のＥＬシートＳ５１〜Ｓ５８用制御ボードであり、制御ボードＢ６は、第６列のＥＬシートＳ６１〜Ｓ６８用制御ボードであり、制御ボードＢ７は、第７列のＥＬシートＳ７１〜Ｓ７８用制御ボードであり、制御ボードＢ８は、第８列のＥＬシートＳ８１〜Ｓ８８用制御ボードである。
【００３５】
表示装置１００の裏面（非表示面）と、制御ボードＢ２、Ｂ３、Ｂ４、Ｂ５、Ｂ６、Ｂ７、Ｂ８のそれぞれとの接続方法、固着方法は、遮光板２０と制御ボードＢ１との接続方法、固着方法と同様である。
【００３６】
図６は、表示装置１００の裏面（非表示面）に、制御ボードＢ１、Ｂ２、Ｂ３、Ｂ４、Ｂ５、Ｂ６、Ｂ７、Ｂ８を接続した状態を示す平面図である。
【００３７】
図５、図６に示す遮光板２０、制御ボードＢ１〜Ｂ８は、実際の厚さよりも厚く記載されている。
【００３８】
図７は、表示装置１００における全体の回路構成を示す図である。
【００３９】
表示装置１００は、シフトレジスタＳＲ１〜ＳＲ８と、ラッチ回路ＬＴ１〜ＬＴ８と、スイッチング回路ＳＷ１〜ＳＷ８と、ＥＬシートＳ１１〜Ｓ８８とを有する。
【００４０】
そして、シフトレジスタＳＲ１〜ＳＲ８が直列に接続されている。
【００４１】
つまり、インバータおよび信号発生回路３０からシフトクロック信号を１つ受信すると、シフトレジスタＳＲ１が、新たな１ビットのシリアル映像信号を入力するとともに、８ビット前に入力した１ビットのシリアル映像信号を出力し、この出力したシリアル映像信号を、シフトレジスタＳＲ２が入力するとともに、８ビット前にシフトレジスタＳＲ２が入力した１ビットのシリアル映像信号を出力し、……、８ビット前にシフトレジスタＳＲ７が入力したシ１ビットのリアル映像信号を出力し、この出力したシリアル映像信号を、シフトレジスタＳＲ８が入力するとともに、８ビット前にシフトレジスタＳＲ８が入力した１ビットのシリアル映像信号を出力する。
【００４２】
次に、表示装置１００の動作について説明する。
【００４３】
制御ボードＢ１の接点Ｃ１１ｂ、Ｃ１２ｂ、Ｃ１３ｂ、Ｃ１４ｂ、Ｃ１５ｂ、Ｃ１６ｂ、Ｃ１７ｂ、Ｃ１８ｂは、それぞれ、表示装置１００の裏面に設けられている接点Ｃ１１、Ｃ１２、Ｃ１３、Ｃ１４、Ｃ１５、Ｃ１６、Ｃ１７、Ｃ１８に接続されている。
【００４４】
そして、インバータおよび信号発生回路３０において、図示しない電源スイッチを操作し、電源が投入されると、インバータおよび信号発生回路３０から、正弦波のＥＬ発光用電力（たとえば２００Ｖ、１ＫＨｚ）、ラッチ信号、シフトクロック、映像信号が出力される。６４枚のＥＬシートＳ１１〜Ｓ８８のそれぞれが１つの画素を構成し、つまり、６４画素によって、種々の文字、画像等の映像を表示し、この映像を表示するための信号が、上記映像信号である。
【００４５】
ここで、表示装置１００に文字「Ａ」を、右から左に流れるように、表示する場合を例にとって、表示装置１００の動作について説明する。
【００４６】
図８は、実施例１における動作説明図である。
【００４７】
文字「Ａ」は、図８（４）に示すように、８行×８列で表示され、まず、第１タイミング（電源投入後、８つのシフトクロック信号と１つのラッチ信号とを、インバータおよび信号発生回路３０から受信し、スイッチング回路ＳＷ１〜ＳＷ８がスイッチングを開始したタイミング）で、図８（１）に示すように、「Ａ」の第１列が表示される。
【００４８】
上記第１タイミングでは、インバータおよび信号発生回路３０から、８ビットのシリアルの映像信号「００００００１１」が出力され、この映像信号「００００００１１」が、制御ボードＢ１における映像信号入力線Ｌ１１を介して、１ビットづつシフトレジスタＳＲ１に格納される。この格納が終了すると、ラッチ信号線Ｌ１３を介して、ラッチ信号がラッチ回路ＬＴ１に印加され、映像信号「００００００１１」が、ラッチ回路ＬＴ１にラッチされる。
【００４９】
ラッチ回路ＬＴ１の出力信号「００００００１１」が、スイッチング回路ＳＷ１を構成する８つのスイッチング素子のそれぞれのオン、オフを制御する。つまり、ＥＬ発光用電力線Ｌ１４と、コネクタＣ１１ｂ、Ｃ１２ｂ、Ｃ１３ｂ、Ｃ１４ｂ、Ｃ１５ｂ、Ｃ１６ｂのそれぞれとの接続をオフするので、コネクタＣ１１ｂ、Ｃ１２ｂ、Ｃ１３ｂ、Ｃ１４ｂ、Ｃ１５ｂ、Ｃ１６ｂのそれぞれと接続されているＥＬシートＳ１１、Ｓ１２、Ｓ１３、Ｓ１４、Ｓ１５、Ｓ１６が発光されない。
【００５０】
一方、ＥＬ発光用電力線Ｌ１４と、コネクタＣ１７ｂ、Ｃ１８ｂのそれぞれとの接続をオンするので、コネクタＣ１７ｂ、Ｃ１８ｂのそれぞれと接続されているＥＬシートＳ１７、Ｓ１８が発光される。
【００５１】
したがって、第１タイミングにおいて、表示装置１００は、図８（１）に示すように、発光、表示する。なお、図８において、発光しているＥＬシートを白色で表示し、発光していないＥＬシートを網点で表示している。
【００５２】
なお、上記第１タイミングにおいて、制御ボードＢ２〜Ｂ８における映像信号入力線Ｌ１２〜Ｌ１８には、全て「００００００００」の映像信号が出力されているので、制御ボードＢ２〜Ｂ８におけるＥＬシートは全て発光していない。
【００５３】
次に、第２タイミング（電源投入後、１６個のシフトクロック信号と２つのラッチ信号とを、インバータおよび信号発生回路３０から受信し、スイッチング回路ＳＷ１〜ＳＷ８がスイッチングを開始したタイミング）において、インバータおよび信号発生回路３０から、８ビットのシリアルの映像信号「００００１１１０」が出力され、この映像信号「００００１１１０」が、制御ボードＢ１における映像信号入力線Ｌ１１を介して、シフトレジスタＳＲ１に格納される。この格納が終了すると、ラッチ信号線Ｌ１３を介して、ラッチ信号がラッチ回路ＬＴ１に印加され、映像信号「００００１１１０」が、ラッチ回路ＬＴ１にラッチされる。
【００５４】
ラッチ回路ＬＴ１の出力信号「００００１１１０」が、スイッチング回路ＳＷ１を構成する８つのスイッチング素子のそれぞれのオン、オフを制御する。つまり、ＥＬ発光用電力線Ｌ１４と、コネクタＣ１１ｂ、Ｃ１２ｂ、Ｃ１３ｂ、Ｃ１４ｂ、Ｃ１８ｂのそれぞれとの接続をオフするので、コネクタＣ１１ｂ、Ｃ１２ｂ、Ｃ１３ｂ、Ｃ１４ｂ、Ｃ１８ｂのそれぞれと接続されているＥＬシートＳ１１、Ｓ１２、Ｓ１３、Ｓ１４、Ｓ１８が発光されない。
【００５５】
一方、ＥＬ発光用電力線Ｌ１４と、コネクタＣ１５ｂ、Ｃ１６ｂ、Ｃ１７ｂのそれぞれとの接続をオンするので、コネクタＣ１５ｂ、Ｃ１６ｂ、Ｃ１７ｂのそれぞれと接続されているＥＬシートＳ１５、Ｓ１６、Ｓ１７が発光する。
【００５６】
また、第１タイミングにおいて、制御用ボードＢ１に設けられているシフトレジスタＳＲ１に格納されていた信号「００００００１１」は、シフトクロックを１つ受信する度に、１ビット出力され、この出力された信号は、制御用ボードＢ２に設けられているシフトレジスタＳＲ２に送られ、電源投入後にシフトクロックが８つ発生すると、制御用ボードＢ２に設けられているシフトレジスタＳＲ２には、信号「００００００１１」が格納され、第１タイミングにおいて制御ボードＢ１が行なった動作と同様に、制御用ボードＢ２が動作する。
【００５７】
つまり、制御ボードＢ２において、ＥＬ発光用電力線Ｌ２４と、コネクタＣ２１ｂ、Ｃ２２ｂ、Ｃ２３ｂ、Ｃ２４ｂ、Ｃ２５ｂ、Ｃ２６ｂのそれぞれとの接続をオフするので、コネクタＣ２１ｂ、Ｃ２２ｂ、Ｃ２３ｂ、Ｃ２４ｂ、Ｃ２５ｂ、Ｃ２６ｂのそれぞれと接続されているＥＬシートＳ２１、Ｓ２２、Ｓ２３、Ｓ２４、Ｓ２５、Ｓ２６が発光されない。なお、ＥＬシートＳ２７、Ｓ２８が発光する。
【００５８】
したがって、第２タイミングにおいて、表示装置１００は、図８（２）に示すように、発光、表示する。なお、図８において、発光しているＥＬシートを白色で表示し、発光していないＥＬシートを網点で表示している。
【００５９】
上記第２タイミングにおいて、制御ボードＢ３〜Ｂ８における映像信号入力線Ｌ１３〜Ｌ１８には、全て「００００００００」の映像信号が出力されているので、制御ボードＢ３〜Ｂ８に接続されているＥＬシートは全て発光していない。
【００６０】
上記と同様にして、第８タイミング（電源投入後、６４個のシフトクロック信号と８つのラッチ信号とを、インバータおよび信号発生回路３０から受信し、スイッチング回路ＳＷ１〜ＳＷ８がスイッチングを開始したタイミング）で、図８（３）に示すように、「Ａ」の第８列が表示され、この時点で、文字「Ａ」の全てが表示される。
【００６１】
なお、１つのタイミング（たとえば、第１タイミング）の時間として、たとえば０．１秒間を設定すると、０．８秒間で、１文字が、右から左に流れるように表示される。上記１つのタイミング（たとえば、第１タイミング）の時間を、０．１秒間以外の任意の時間に設定するようにしてもよい。
【００６２】
表示装置１００によれば、表示装置１００とインバータおよび信号発生回路３０とを接続する配線を極端に減少することができ、したがって、表示装置１００の全体を小型化することができる。
【実施例２】
【００６３】
図９は、本発明の実施例２である表示装置２００を示す図である。
【００６４】
表示装置２００は、表示装置１００を複数、横に並べ、映像信号をシリアルで、順次、送り出し、横に長く表示する表示装置である。
【００６５】
表示装置２００によれば、複数の文字を同時に表示することができ、しかも、表示装置２００とインバータおよび信号発生回路３０とを接続する配線を極端に減少することができ、したがって、表示装置２００の全体を小型化することができる。
【実施例３】
【００６６】
図１０は、本発明の実施例３である表示装置３００を示す図である。
【００６７】
表示装置３００は、複数の表示装置１００を、横と縦とに並べ、映像信号をシリアルで、順次、送り出し、横と縦に長く表示する表示装置である。
【００６８】
表示装置３００によれば、表示装置３００の最上段に、所定の文字列が１行表示されると、その行頭から、順次、２行目に表示位置が移動し、２行目の表示位置における表示が終わると、３行目の表示位置における表示が行なわれ、……というように、複数行の表示が行われる。
【００６９】
ところで、マトリクス状に配置した複数のＥＬシートを発光させる場合、ダイナミック点灯方式とスタティック点灯方式とがある。
【００７０】
上記「ダイナミック点灯方式」は、マトリクスの行と列とをそれぞれ走査し、走査している行と列との交点に配置されているＥＬシートのみをその瞬間に、点灯・消灯を制御する方式であり、上記交点以外のＥＬシートは消灯している方式である。したがって、ダイナミック点灯方式では、行毎、列毎に制御するので、点灯・消灯を制御するための配線が少ないという利点がある。しかし、ダイナミック点灯方式では、１つのＥＬシートに着目した場合、点灯している時間が極めて短いので、輝度がそれ程高くないＥＬシートを点灯させた場合、その平均輝度がより低くなり、よって、マトリクス状のＥＬシートをダイナミック点灯方式で点灯させることは好ましくない。
【００７１】
上記「スタティック点灯方式」は、マトリクス状に配置した複数のＥＬシートのそれぞれに、点灯を制御する制御線を独立して接続し、各ＥＬシートを、常時、点灯・消灯制御する方式である。したがって、スタティック点灯方式は、各ＥＬシートを、常時、点灯・消灯制御するので、点灯すべきＥＬシートは常に点灯しているので、平均輝度が高く、マトリクス状のＥＬシートをスタティック点灯方式で点灯させることは好ましい。しかし、従来のスタティック点灯方式では、マトリクス状に配置した複数のＥＬシートが増えるに従って、点灯を制御する制御線の数が、膨大な数になるという問題がある。
【００７２】
上記各実施例は、ＥＬシートの発光輝度低下を防ぐために、ダイナミック点灯方式ではなく、スタティック点灯方式を採用し、ＥＬシートの点灯・消灯を制御する制御ボードＢ１〜Ｂ８等が、ＥＬシートの裏面に設けられているので、表示装置１００、２００、３００に接続する配線（インバータおよび信号発生回路３０と各ＥＬシートとを接続する配線）の数が膨大になることを防止することができる。
【００７３】
つまり、上記実施例では、ＥＬシートの点灯・消灯を制御する制御ボードＢ１〜Ｂ８等を、ＥＬシートの背面に設置し、特に、高電圧部分をＥＬシートの背面に設置してあるので、表示装置１００、２００、３００と、インバータおよび信号発生回路３０とを接続する配線を極端に減少することができ、したがって、表示装置１００、２００、３００の全体を小型化することができる。
【００７４】
また、上記各実施例によれば、マトリクス状に配列されたＥＬシートの１列（マトリクスがたとえば８ドット×８ドットである場合、縦１列の８ドット分）のＥＬシートの点灯・消灯を制御する回路を１枚の制御ボードで賄い、この制御ボードを複数枚、ＥＬシートに取り付けている。したがって、上記実施例では、横方向（マトリクスの行方向）のフレキシブル性を維持することができる。
【００７５】
なお、マトリクス状に配列されたＥＬシートの２列（マトリクスがたとえば８ドット×８ドットである場合、縦２列の１６ドット分）以上のＥＬシートの点灯・消灯を制御する回路を１枚の制御ボードで賄うようにしてもよい。
【００７６】
さらに、上記各実施例では、上記制御ボードとして、フレキシブル基板を使用し、しかも、使用部品として小型部品を使用すれば、ＥＬシートの薄さと、縦方向（マトリクスの列方向）のフレキシブル性を維持することができる。
【００７７】
また、マトリクス状に配列されたＥＬシートの少なくとも１行（マトリクスがたとえば８ドット×８ドットである場合、横１行の８ドット分）のＥＬシートの点灯・消灯を制御する回路を１枚の制御ボードで賄うようにしてもよい。この場合、フレキシブル基板を使用し、しかも、使用部品として小型部品を使用すれば、ＥＬシートの薄さと、横方向（マトリクスの行方向）のフレキシブル性を維持することができる。
【００７８】
そして、上記各実施例では、１つの制御ボードに入力する映像信号をシリアルで入力し、しかも、後続の制御ボードに出力する映像信号をシリアルで出力する。したがって、この点からも、映像信号を入力するための配線が激減する。
【００７９】
つまり、上記実施例は、複数のＥＬシートと、所定の映像信号に応じて、上記複数のＥＬシートのそれぞれに供給する電源のオン、オフを制御する電源供給制御手段であって、上記ＥＬシートの発光面の反対側である裏面に設けられている電源供給制御手段と、上記電源供給制御手段を固定しているフレキシブル基板とを有する表示装置の例である。
【００８０】
この場合、上記複数のＥＬシートは、ｍ行×ｎ列のマトリクスを形成し、上記フレキシブル基板は、上記ｍ行の少なくとも１行毎に、または、上記ｎ列の少なくとも１列毎に、設けられている。また、上記映像信号は、シリアル信号であり、上記電源供給制御手段は、上記シリアル信号を入力し、パラレル信号に変換するシフトレジスタと、上記シフトレジスタが変換したパラレル信号を記憶するメモリと、上記メモリに記憶されているパラレル信号に応じて、上記ＥＬシートへの電源供給をオン、オフ制御するスイッチング回路とを有する手段である。さらに、後続の電源供給手段へも、シリアルの映像信号を送信する。
【図面の簡単な説明】
【００８１】
【図１】本発明の実施例１である表示装置１００を示す正面図であり、その表示面を示す図である。
【図２】表示装置１００の裏面を示す図である。
【図３】表示装置１００に使用する第１列のＥＬシートＳ１１〜Ｓ１８用制御ボードＢ１を示す図であり、その実装面を示す図である。
【図４】表示装置１００の裏面（非表示面）に、制御ボードＢ１を接続した状態を示す図である。
【図５】表示装置１００の裏面（非表示面）に、制御ボードＢ１、Ｂ２、Ｂ３、Ｂ４、Ｂ５、Ｂ６、Ｂ７、Ｂ８を接続した状態を示す斜視図である。
【図６】表示装置１００の裏面（非表示面）に、制御ボードＢ１、Ｂ２、Ｂ３、Ｂ４、Ｂ５、Ｂ６、Ｂ７、Ｂ８を接続した状態を示す平面図である。
【図７】表示装置１００における全体の回路構成を示す図である。
【図８】実施例１における動作説明図である。
【図９】本発明の実施例２を示す図である。
【図１０】本発明の実施例３を示す図である。
【符号の説明】
【００８２】
１００、２００、３００…表示装置、
１０…ケーブル、
２０…遮光板、
３０…インバータおよび信号発生回路、
Ｓ１１〜Ｓ８８…ＥＬシート、
Ｃ０〜Ｃ８、Ｃ１１ｂ〜Ｃ８８ｂ…コネクタ、
Ｃ１１〜Ｃ８８…接点、
Ｂ１〜Ｂ８…制御ボード、
ＳＲ１〜ＳＲ８…シフトレジスタ、
ＬＴ１〜ＬＴ８…ラッチ回路、
ＳＷ１〜ＳＷ８…スイッチング回路、
Ｌ１１、Ｌ２１、Ｌ３１、Ｌ４１、Ｌ５１、Ｌ６１、Ｌ７１、Ｌ８１…映像信号入力線、
Ｌ１２、Ｌ２２、Ｌ３２、Ｌ４２、Ｌ５２、Ｌ６２、Ｌ７２、Ｌ８２…シフトクロック線、
Ｌ１３、Ｌ２３、Ｌ３３、Ｌ４３、Ｌ５３、Ｌ６３、Ｌ７３、Ｌ８３…ラッチ信号線、
Ｌ１４、Ｌ２４、Ｌ３４、Ｌ４４、Ｌ５４、Ｌ６４、Ｌ７４、Ｌ８４、Ｌ１５、Ｌ２５、Ｌ３５、Ｌ４５、Ｌ５５、Ｌ６５、Ｌ７５、Ｌ８５…ＥＬ発光用電力線、
Ｌ１６、Ｌ２６、Ｌ３６、Ｌ４６、Ｌ５６、Ｌ６６、Ｌ７６、Ｌ８６…映像信号出力線。
【図１】
2007140071.tif 000003
【図２】
2007140071.tif 000004
【図３】
2007140071.tif 000005
【図４】
2007140071.tif 000006
【図５】
2007140071.tif 000007
【図６】
2007140071.tif 000008
【図７】
2007140071.tif 000009
【図８】
2007140071.tif 000010
【図９】
2007140071.tif 000011
【図１０】
2007140071.tif 000012